(57)【要約】【課題】簡単な構成で部品点数が少なく、小型軽量で生産性、低コスト性に優れ、既存のペットボトルや水筒等の容器に容易に着脱して手軽に使用することができる汎用性、メンテナンス性に優れたミネラル水生成器の提供。【解決手段】容器内部に収容され上下に揺動することにより容器内部の水にミネラルを溶出させるミネラル水生成具であって、下部固定板と、下部固定板の略中央に立設されたガイド軸と、ガイド軸に摺動自在に挿通された貫通孔を有し環状に形成された摺動磁石板及び／又はミネラル板と、貫通孔よりも大きな外形に形成されガイド軸の上端に配設された上端固定部と、を備えている。【選択図】図１
2006026465.tif 000002
【特許請求の範囲】
【請求項１】
容器内部に収容され上下に揺動することにより容器内部の水にミネラルを溶出させるミネラル水生成具であって、下部固定板と、前記下部固定板の略中央に立設されたガイド軸と、前記ガイド軸に摺動自在に挿通された貫通孔を有し環状に形成された摺動磁石板及び／又はミネラル板と、前記貫通孔よりも大きな外形に形成され前記ガイド軸の上端に配設された上端固定部と、を備えたことを特徴とするミネラル水生成具。
【請求項２】
前記ミネラル板が、２以上隣接して配設されたことを特徴とする請求項１に記載のミネラル水生成具。
【請求項３】
環状に形成され前記下部固定板の上面及び前記上端固定部の下面に配設された摺動補助磁石を備えたことを特徴とする請求項１又は２に記載のミネラル水生成具。
【請求項４】
前記下部固定板及び前記上端固定部が永久磁石で形成されたことを特徴とする請求項１又は２に記載のミネラル水生成具。
【請求項５】
前記下部固定板、前記ガイド軸、前記上端固定部に連通して穿設された流水部を備えたことを特徴とする請求項１乃至４の内いずれか１項に記載のミネラル水生成具。
【請求項６】
前記下部固定板の下部及び前記上端固定部の上部に配設されたガイド軸固定部を備えたことを特徴とする請求項１乃至５の内いずれか１項に記載のミネラル水生成具。
【請求項７】
容器と、前記容器の内部に収容された請求項５のミネラル水生成具と、前記ミネラル水生成具の前記流水部に挿通された吸上げ管と、前記吸上げ管の上端に連設されたポンプ部と、前記ポンプ部を前記容器の上端開口部に着脱自在に固定するポンプ固定部と、前記ポンプ固定部の上端に配設された押しボタンと、前記押しボタンの底部で前記ポンプ部に連通し前記押しボタンの外側面に開口して形設された噴霧孔と、を備えたことを特徴とする噴霧器。
【請求項８】
容器と、前記容器の内部に収容された請求項１乃至６の内いずれか１項のミネラル水生成具と、を備えたことを特徴とする水筒。
【発明の詳細な説明】
【技術分野】
【０００１】
本発明は、手動で水をクラスタ改質すると共に、各種ミネラル分を溶出させ弱アルカリ性のミネラル水を生成することができるミネラル水生成具及びそれを備えた噴霧器並びに水筒に関する。
【背景技術】
【０００２】
近年、健康に対する意識や天然素材に対する注目度が高くなっている。
人間の体液はｐH＝７．４程度の弱アルカリ性であり、体が酸性に傾くと病気がちになり、老化が進むと言われている。体を健康に保つためにはバランスのよい食事を摂ることが重要であるが、必要に応じてアルカリ性食品やアルカリ性飲料を積極的に摂取し、体を本来の弱アルカリ性に近づけることが望まれる。
また、化粧水や肌の洗浄水等は日常的に使用されるものであり、肌に直接しかも長時間にわたって塗布されるので、肌に対する刺激が少なく、天然材料あるいは天然材料に由来する成分を主体とする安全な製品が求められる。肌に対する刺激が少ないという点では、人間の体液に近い弱アルカリ性が望ましい。
以上のような点から、従来、ミネラルを含む岩石や鉱物を飲料水や化粧水の改質に用いることが行われている。
例えば（特許文献１）には、「麦飯石、ミネラル石、ラジウム鉱石、トルマリン、還元セラミックを充填したカラムに天然水または精製水を通過させてなるミネラル水」が開示されている。
（特許文献２）には、「容器内に化粧用液体が収容されるとともに、この化粧用液体内に鉱物が浸漬されてなることを特徴とする鉱物入り化粧品」が開示されている。
（特許文献３）には、「容器内の水中に、略等量の石英、アルカリ長石、斜長石と、少量の黒雲母とを含む優白質中粒ないし粗粒な花崗岩である天然鉱石を複数個浸漬されてなることを特徴とする化粧品」が開示されている。
【特許文献１】特開２００３−３３５６５５号公報
【特許文献１】特開平１０−１２０５２０号公報
【特許文献１】特開２００２−２４１２５５号公報
【発明の開示】
【発明が解決しようとする課題】
【０００３】
しかしながら上記従来の技術では、以下のような課題を有していた。
（１）（特許文献１）のミネラル水を生成するための装置は、構成が複雑で一般家庭などで手軽に使用することができず、メンテナンス性、携帯性に欠けるという課題を有していた。
（２）（特許文献２）の鉱物入り化粧品は、化粧用液体内に鉱物を浸漬することにより、使用時のマイルド感を高めただけのものであり、実用性に欠けるという課題を有していた。また、化粧用液体がなくなった際には化粧品自体を買い替えなければならず、鉱物が使い捨てになり省資源性に欠けるという課題を有していた。
（３）（特許文献３）の化粧品は、容器内に複数個の天然鉱石が浸漬されているが、それらがばらばらに浸漬されているので、容器を振った際に天然鉱石を確実に接触させることができず、衝撃により発生するマイナスイオンの量が少なく、十分な効果が得られないという課題を有していた。
【０００４】
本発明は上記従来の課題を解決するもので、簡単な構成で部品点数が少なく、小型軽量で生産性、低コスト性に優れ、既存のペットボトルや水筒等の容器に容易に着脱して手軽に使用することができる汎用性、メンテナンス性に優れたミネラル水生成具の提供、及び容器に水を注ぎ足すだけでミネラル水を生成することができるので、ミネラル水生成具を使い捨てすることなく有効利用でき、省資源性に優れ、ミネラル水を噴霧して化粧水や肌の洗浄水等として簡便に使用することができる携帯性に優れた噴霧器の提供、並びにいつでもどこでもミネラル水を飲料水として摂取することができる携帯性に優れた水筒の提供を目的とする。
【課題を解決するための手段】
【０００５】
上記課題を解決するために本発明のミネラル水生成具及びそれを備えた噴霧器並びに水筒は、以下の構成を有している。
本発明の請求項１に記載のミネラル水生成具は、容器内部に収容され上下に揺動することにより容器内部の水にミネラルを溶出させるミネラル水生成具であって、下部固定板と、前記下部固定板の略中央に立設されたガイド軸と、前記ガイド軸に摺動自在に挿通された貫通孔を有し環状に形成された摺動磁石板及び／又はミネラル板と、前記貫通孔よりも大きな外形に形成され前記ガイド軸の上端に配設された上端固定部と、を備えた構成を有している。
この構成により、以下のような作用を有する。
（１）下部固定板の略中央に立設されたガイド軸に、貫通孔を有し環状に形成された摺動磁石板及び／又はミネラル板が摺動自在に挿通され、ガイド軸の上端に貫通孔よりも大きな外形に形成された上端固定部が配設されていることにより、既存のペットボトルや水筒等の容器の内部に収容し、容器内の水に浸漬させ、容器を上下に振るだけで、全体が容器内で揺動すると共に、摺動磁石板及び／又はミネラル板をガイド軸に沿って摺動させることができるので、摺動磁石板の磁気によって容器内の水のクラスタと呼ばれる分子集団を小さくし、水を磁化させることができ、また、ミネラル板のマイナスイオン及び各種ミネラルの溶出によって容器内の水を弱アルカリ性にすることができ、手軽にミネラル水を生成することができる。
（２）ガイド軸の上端に貫通孔よりも大きな外形に形成された上端固定部が配設されているので、容器を上下に振って摺動磁石板及び／又はミネラル板をガイド軸に沿って摺動させても、摺動磁石板及び／又はミネラル板がガイド軸から抜け落ちることがなく、摺動磁石板やミネラル板を確実に保持することができる。
（３）摺動磁石板及び／又はミネラル板がガイド軸に摺動自在に挿通され一体に保持されているので、取扱いが容易で、容器への収容、取出しを簡便に行うことができる。
（４）容器を上下に振った際に、全体が容器内で揺動し、下部固定板及び上端固定部がそれぞれ容器の底面や上面にぶつかることにより、その反動で摺動磁石板及び／又はミネラル板をガイド軸に沿って摺動させることができ、効率よくミネラル水を生成することができる。
【０００６】
ここで、下部固定板及び上端固定部の外形はそれぞれミネラル水生成具を収容する容器の口よりも小さく形成される。下部固定板及び上端固定部の形状は容器の口よりも小さければ、略円形の他、略三角形や略四角形、略六角形、略八角形等の多角形や星形等、どのような形状でもよいが、最も面積が大きく載置時の安定性に優れ、製造も容易な略円形に形成することが好ましい。また、下部固定板や上端固定部には着色したり、模様を付けたりして装飾を施し、美観を向上させることができる。
下部固定板、上端固定部、ガイド軸としては合成樹脂製やステンレス等の金属製のものが用いられる。特に金属製の場合、摺動磁石板が着磁して動かなくなるのを防ぐために非磁性体のものが好適に用いられる。
尚、下部固定板と上端固定部は同一の部材を用いることができ、生産性に優れると共に、上下の向きに無関係に使用することができるので、取扱い性に優れる。
下部固定板及び上端固定部はガイド軸に対し、嵌合、接着、ねじ止め、螺合等の固定手段により固定し、摺動時に摺動磁石板やミネラル板がぶつかってもガイド軸から外れないようにする。下部固定板及び上端固定部の少なくともいずれか一方をガイド軸に対し着脱自在にすることにより、容易に摺動磁石板やミネラル板の増減、交換、清掃を行うことができ、メンテナンス性、汎用性に優れる。
【０００７】
摺動磁石板としては、アルニコ磁石、フェライト磁石、希土類磁石、マグネット鋼，ＭＫ鋼，Ｃｏ−Ｐｔ系，コバルトフェライト，ＯＰ磁石などの永久磁石が好適に用いられる。
ミネラル板としては、水晶（石英）、ラドン鉱石、ラジウム鉱石、麦飯石、花崗岩等の自然鉱石やこれらの微粉末を焼結したセラミック等が好適に用いられる。尚、鉱物として石英（シリカ）、長石、白雲母などを含有するものであれば、これらの鉱石と同様に用いることができる。特に、白雲母はナトリウム、カリウム、カルシウム、マグネシウム等のミネラルを多く含み、ミネラル水の生成に好適である。
また、ミネラル板は３０００個／ｃｃ以上、好ましくは６０００個／ｃｃ以上のマイナスイオンを発生するものが好ましい。ミネラル板の発生するマイナスイオンが、６０００個／ｃｃよりも少なくなるにつれ、ｐＨが７．４〜１０の弱アルカリ性になるまでに時間を要し、生産性が低下する傾向があり、３０００個／ｃｃより少なくなるにつれ、ｐＨが変化し難くなり、十分なマイナスイオンの効果が得られず、実用性が低下し、好ましくない。ミネラル板が、天然鉱石を微粉砕し焼結したセラミックである場合、加工が容易で生産性に優れる。
摺動磁石板及びミネラル板の貫通孔の孔径は、ガイド軸の外形よりも若干、大き目に形成することが好ましい。これにより、ガイド軸と貫通孔との隙間に容器内の水を通過させることができ、より効率的に摺動磁石板やミネラル板に接触させることができ、短時間でミネラル水を生成することができる。また、摺動磁石板やミネラル板が前後や左右にも移動できるので、接触回数や接触面積を増加させることができ、効率性に優れる。
【０００８】
ミネラル水生成具により生成されるミネラル水は、ｐＨが７．４〜１０の弱アルカリ性に生成される。このミネラル水は水の分子集団が小さく、均一な状態になっていることにより、肌や髪への浸透性が高く、保湿効果に優れるので、アトピー性皮膚炎やニキビ、しみ、そばかす、あせも等の皮膚病、乾燥肌の改善に好適に用いることができる。また、エマルジョン効果により、肌の汚れや汗、油を取除くことができ、肌荒れを防ぐことができる。さらに、ナトリウム、カリウム、カルシウム、マグネシウム等のミネラルの働きにより新陳代謝を促進し、肌を保護することができる。以上のことから、ミネラル水生成具により生成されるミネラル水は、肌等の美容液、化粧水、洗浄水として好適に使用できる。
さらに、適量を飲み水として摂取することにより、各種ミネラルを補給できると共に、整腸作用があり、便秘の改善効果に優れる。
【０００９】
請求項２に記載の発明は、請求項１に記載のミネラル水生成具であって、前記ミネラル板が、２以上隣接して配設された構成を有している。
この構成により、請求項１の作用に加え、以下のような作用を有する。
（１）隣接して配設された２以上のミネラル板が、摺動時に互いに衝突することにより、ミネラル板の表面が磨かれ、或いは微細な欠けや割れが発生し、新たな破壊原子価が現れるので、マイナスイオンの発生、ミネラルの溶出が促進され、短時間で効率的にミネラル水を生成することができる。
【００１０】
請求項３に記載の発明は、請求項１又は２に記載のミネラル水生成具であって、環状に形成され前記下部固定板の上面及び前記上端固定部の下面に配設された摺動補助磁石を備えた構成を有している。
この構成により、請求項１又は２の作用に加え、以下のような作用を有する。
（１）下部固定板の上面及び上端固定部の下面に配設された摺動補助磁石をＮ極とＳ極が対向するように配置することにより、上下の摺動補助磁石の間に磁界を発生させることができ、その間を通過する水を磁化させることができる。
（２）ガイド軸に摺動磁石板が挿通されている場合、摺動磁石板と上下の摺動補助磁石との間にそれぞれ斥力が働くようにＮ極同士又はＳ極同士を対向させて配置することにより、静止状態で摺動磁石板と上下の摺動補助磁石との距離を一定に保つことができ、容器を上下に振った際に摺動磁石板と上下の摺動補助磁石との間に挟まれたミネラル板を確実に摺動させることができ、効率的にミネラル水を生成することができる。
【００１１】
ここで、上下の摺動補助磁石と摺動磁石板の磁力はそれぞれほぼ同等に形成することが好ましい。これにより、摺動磁石板と上下の摺動補助磁石との間に働く斥力を釣り合わせることができ、摺動磁石板をガイド軸の高さ方向の略中央位置で保持することができる。
【００１２】
請求項４に記載の発明は、請求項１又は２に記載のミネラル水生成具であって、前記下部固定板及び前記上端固定部が永久磁石で形成された構成を有している。
この構成により、請求項１又は２の作用に加え、以下のような作用を有する。
（１）下部固定板及び上端固定部が永久磁石で形成されているので、下部固定板と上端固定部をＮ極とＳ極が対向するように配置することにより、下部固定板と上端固定部の間に磁界を発生させることができ、その間を通過する水を磁化させることができる。
（２）ガイド軸に摺動磁石板が挿通されている場合、摺動磁石板と下部固定板及び摺動磁石板と上端固定部との間にそれぞれ斥力が働くようにＮ極同士又はＳ極同士を対向させて配置することにより、静止状態で摺動磁石板と下部固定板及び上端固定部との距離を一定に保つことができ、容器を上下に振った際に摺動磁石板と下部固定板及び上端固定部との間に挟まれたミネラル板を確実に摺動させることができ、効率的にミネラル水を生成することができる。
（３）容器が着磁性を有する場合、下部固定板を容器内部の底面に着磁して保持することができ、特別な固定手段を用いることなくミネラル水生成具を固定でき、動作を安定させることができる。
（４）下部固定板及び上端固定部を永久磁石で形成することにより、摺動補助磁石の代りに利用することができるので、部品点数を低減することができ、生産性、低コスト性を向上させることができる。
【００１３】
ここで、下部固定板、上端固定部、摺動磁石板の磁力はそれぞれほぼ同等に形成することが好ましい。これにより、摺動磁石板と下部固定板及び上端固定部との間に働く斥力を釣り合わせることができ、摺動磁石板を下部固定板と上端固定部の間の略中央位置で保持することができる。
【００１４】
請求項５に記載の発明は、請求項１乃至４の内いずれか１項に記載のミネラル水生成具であって、前記下部固定板、前記ガイド軸、前記上端固定部に連通して穿設された流水部を備えた構成を有している。
この構成により、請求項１乃至４の内いずれか１項に記載の作用に加え、以下のような作用を有する。
（１）下部固定板、ガイド軸、上端固定部に連通して流水部が穿設されているので、流水部の内部に容器内の水を通過させることにより摺動磁石板の磁気を作用させ、より効率的にミネラル水を生成することができる。
（２）ミネラル水生成具を収容する容器の底面に、流水部に嵌合される棒状部材を立設することにより、簡便にミネラル水生成具を保持することができ、容器を上下に振った際に、確実に摺動磁石板やミネラル板を摺動させることができる。
ここで、ガイド軸が非磁性体であることにより、摺動磁石板や摺動補助磁石などにより発生する磁界がガイド軸の影響を受けることがなく、確実に流水部の内部を通過する水に作用して効率的に磁化させることができる。
【００１５】
請求項６に記載の発明は、請求項１乃至５の内いずれか１項に記載のミネラル水生成具であって、前記下部固定板の下部及び前記上端固定部の上部に配設されたガイド軸固定部を備えた構成を有している。
この構成により、請求項１乃至５の内いずれか１項に記載の作用に加え、以下のような作用を有する。
（１）下部固定板の下部及び上端固定部の上部にガイド軸固定部が配設されていることにより、容器の内部でミネラル水生成具を固定することができ、容器を上下に振った際にミネラル水生成具が倒れることがなく確実に摺動磁石板やミネラル板を摺動させることができると共に、容器から水を注ぐ際にミネラル水生成具が移動して容器の口を塞ぐことがなく、取扱い性に優れる。
【００１６】
ここで、ガイド軸固定部としては、軟質で可撓性を有するポリプロピレン等の合成樹脂製やアルミニウム製の薄板が好適に用いられる。薄板のガイド軸固定部は下部固定板及び上端固定部の中心から放射状に略十文字形状等に配設される。ガイド軸固定部は1枚の薄板を略十文字形状等に切り抜いて一体に形成してもよいし、長尺状の薄板を交差させるように組合せて形成してもよい。ミネラル水生成具を容器の内部に収容する際に、ガイド軸固定部をガイド軸側に折り曲げるようにして挿入すると、挿入後にガイド軸固定部が初期状態に復帰しようとして拡開し、容器の底面や側面に張り付くようにして固定される。
ガイド軸固定部が薄板で形成されるので、はさみやカッター等で容易に切断して加工することができる。ガイド軸固定部の長さや幅を変更することにより、容器の断面形状や大きさによらず確実にガイド軸固定部を容器の底面や側面に接触させ固定することができる。また、ガイド軸固定部を着脱自在にすることにより、ガイド軸固定部のみを交換するだけで、1つのミネラル水生成具を様々な容器で使用することができる。
ミネラル水生成具を容器から取出す際には、フック状の部材を上端固定部やガイド軸等に引掛けて引き上げればよい。
【００１７】
本発明の請求項７に記載の噴霧器は、容器と、前記容器の内部に収容された請求項５のミネラル水生成具と、前記ミネラル水生成具の前記流水部に挿通された吸上げ管と、前記吸上げ管の上端に連設されたポンプ部と、前記ポンプ部を前記容器の上端開口部に着脱自在に固定するポンプ固定部と、前記ポンプ固定部の上端に配設された押しボタンと、前記押しボタンの底部で前記ポンプ部に連通し前記押しボタンの外側面に開口して形設された噴霧孔と、を備えた構成を有している。
この構成により、請求項１乃至５の内いずれか１項に記載の作用に加え、以下のような作用を有する。
（１）ミネラル水生成具の流水部に挿通された吸上げ管と、吸上げ管の上端に連設されたポンプ部と、ポンプ部を容器の上端開口部に着脱自在に固定するポンプ固定部と、ポンプ固定部の上端に配設された押しボタンと、押しボタンの底部でポンプ部に連通し押しボタンの外側面に開口して形設された噴霧孔を有するので、押しボタンを押すだけでミネラル水生成具により生成されたミネラル水をポンプ部により吸上げることができ、噴霧孔から噴霧させ肌等に噴き付けることができ、美容液、化粧水、洗浄水等として簡便に使用することができる。
（２）ミネラル水生成具の流水部に吸上げ管が挿通されているので、吸上げ管によりミネラル水生成具を保持することができ、ミネラル水生成具が容器の内部で倒れるのを防止できる。
（３）ポンプ部がポンプ固定部により容器の上端開口部に着脱自在に固定されているので、容易に容器に水を注ぎ足すことができ、ミネラル水生成具を繰返し使用することができるので、摺動磁石板やミネラル板を使い捨てすることがなく、省資源性に優れる。
【００１８】
ここで、容器の上端開口部の外周には雄ねじを形成し、ポンプ固定部に形成した雌ねじを螺着することにより、着脱自在に固定することができる。また、ポンプ固定部にはパッキングを配設し、容器内部の水が外部に漏れないようにすることが好ましい。
【００１９】
本発明の請求項８に記載の水筒は、容器と、前記容器の内部に収容された請求項１乃至６の内いずれか１項のミネラル水生成具と、を備えた構成を有している。
この構成により、請求項１乃至６の内いずれか１項に記載の作用に加え、以下のような作用を有する。
（１）容器の内部にミネラル水生成具が収容されているので、手軽に持ち歩くことができ、いつでもどこでもミネラル水を飲料水として摂取することができる。
【００２０】
ここで、容器の材質としては、ステンレス製などの金属や合成樹脂等が好適に用いられる。また、市販の飲料水が入っていたペットボトル等の空き容器を利用することもできる。容器の容積は、２５０ｍｌ〜５００ｍｌの大きさのものが片手で把持して容易に振ることができ、軽量で携帯性に優れるので好ましい。１０００ｍｌや１５００ｍｌ等の大型のものは、冷蔵庫等で保存して家庭等で利用することができる。
【発明の効果】
【００２１】
以上のように、本発明のミネラル水生成具及びそれを備えた噴霧器並びに水筒によれば、以下のような有利な効果が得られる。
請求項１に記載の発明によれば、以下のような効果を有する。
（１）下部固定板の略中央に立設されたガイド軸に、貫通孔を有し環状に形成された摺動磁石板及び／又はミネラル板が摺動自在に挿通され、ガイド軸の上端に貫通孔よりも大きな外形に形成された上端固定部が配設されていることにより、既存のペットボトルや水筒等の容器の内部に収容し、容器内の水に浸漬させ、容器を上下に振るだけで、全体が容器内で揺動すると共に、摺動磁石板及び／又はミネラル板をガイド軸に沿って摺動させることができるので、摺動磁石板の磁気によって容器内の水の分子集団を小さくし、水を磁化させることができ、また、ミネラル板のマイナスイオン及び各種ミネラルの溶出によって容器内の水を弱アルカリ性にすることができ、手軽にミネラル水を生成することができる汎用性、実用性に優れたミネラル水生成具を提供することができる。
（２）摺動磁石板及び／又はミネラル板がガイド軸に摺動自在に挿通され一体に保持されていることにより、容易に取扱うことができ、容器への収容、取出しが簡便なメンテナンス性、使用性に優れたミネラル水生成具を提供することができる。
【００２２】
請求項２に記載の発明によれば、請求項１の効果に加え、以下のような効果を有する。
（１）隣接して配設された２以上のミネラル板を摺動により衝突させることで、マイナスイオンの発生、ミネラルの溶出を促進し、短時間で効率的にミネラル水を生成することができる実用性、効率性に優れたミネラル水生成具を提供することができる。
【００２３】
請求項３に記載の発明によれば、請求項１の効果に加え、以下のような効果を有する。
（１）下部固定板の上面及び上端固定部の下面に配設された摺動補助磁石の間に磁界を発生させることにより、その間を通過する水を磁化させることができる機能性、効率性に優れたミネラル水生成具を提供することができる。
（２）ガイド軸に挿通された摺動磁石板と上下の摺動補助磁石との間にそれぞれ斥力を働かせることにより、静止状態で摺動磁石板と上下の摺動補助磁石との距離を一定に保ち、容器を上下に振った際に摺動磁石板と上下の摺動補助磁石との間に挟まれたミネラル板を確実に摺動させることができる動作安定性、信頼性に優れたミネラル水生成具を提供することができる。
【００２４】
請求項４に記載の発明によれば、請求項１又は２の効果に加え、以下のような効果を有する。
（１）下部固定板及び上端固定部を永久磁石で形成し、下部固定板と上端固定部の間に磁界を発生させることにより、その間を通過する水を磁化させることができる機能性、効率性に優れたミネラル水生成具を提供することができる。
（２）ガイド軸に挿通された摺動磁石板と下部固定板及び摺動磁石板と上端固定部との間にそれぞれ斥力を働かせることにより、静止状態で摺動磁石板と下部固定板及び上端固定部との距離を一定に保ち、容器を上下に振った際に摺動磁石板と下部固定板及び上端固定部との間でミネラル板を確実に摺動させることができ、効率的にミネラル水を生成することができる動作安定性、信頼性に優れたミネラル水生成具を提供することができる。
（３）着磁性を有する容器の底面に下部固定板を着磁させることができ、特別な固定手段を用いることなくミネラル水生成具を固定でき、動作を安定させることができる取扱い性、信頼性に優れたミネラル水生成具を提供することができる。
（４）摺動補助磁石の代りに下部固定板及び上端固定部を永久磁石で形成することにより、部品点数を低減でき、生産性、低コスト性に優れたミネラル水生成具を提供することができる。
【００２５】
請求項５に記載の発明によれば、請求項１乃至４の内いずれか１項の効果に加え、以下のような効果を有する。
（１）下部固定板、ガイド軸、上端固定部に連通して穿設された流水部の内部に容器内の水を通過させることにより、摺動磁石板の磁気を作用させ、より効率的にミネラル水を生成することができる生産性、効率性に優れたミネラル水生成具を提供することができる。
【００２６】
請求項６に記載の発明によれば、請求項１乃至５の内いずれか１項の効果に加え、以下のような効果を有する。
（１）下部固定板の下部及び上端固定部の上部にガイド軸固定部が配設されていることにより、容器の内部でミネラル水生成具を固定することができ、容器を上下に振った際にミネラル水生成具が倒れることがなく確実に摺動磁石板やミネラル板を摺動させることができると共に、容器から水を注ぐ際にミネラル水生成具が移動して容器の口を塞いだりすることがない取扱い性、安全性に優れたミネラル水生成具を提供することができる。
【００２７】
請求項７に記載の発明によれば、請求項１乃至５の内いずれか１項の効果に加え、以下のような効果を有する。
（１）ミネラル水生成具の流水部に挿通された吸上げ管と、吸上げ管の上端に連設されたポンプ部と、ポンプ部を容器の上端開口部に着脱自在に固定するポンプ固定部と、ポンプ固定部の上端に配設された押しボタンと、押しボタンの底部でポンプ部に連通し押しボタンの外側面に開口して形設された噴霧孔を有するので、押しボタンを押すだけでミネラル水生成具により生成されたミネラル水をポンプ部により吸上げることができ、噴霧孔から噴霧させ肌等に噴き付けることができ、美容液、化粧水、洗浄水等として簡便に使用することができる使用性、汎用性に優れた噴霧器を提供することができる。
（２）ミネラル水生成具の流水部に挿通された吸上げ管によりミネラル水生成具を保持することができ、ミネラル水生成具が容器の内部で倒れるのを防止できる使用性、信頼性に優れた噴霧器を提供することができる。
（３）ポンプ部がポンプ固定部により容器の上端開口部に着脱自在に固定されているので、容易に容器に水を注ぎ足すことができ、ミネラル水生成具を繰返し使用することができるので、摺動磁石板やミネラル板を使い捨てすることがない省資源性、実用性に優れた噴霧器を提供することができる。
【００２８】
請求項８に記載の発明によれば、請求項１乃至６の内いずれか１項の効果に加え、以下のような効果を有する。
（１）ミネラル水生成具が収容された容器を手軽に持ち歩くことができるので、いつでもどこでもミネラル水を飲料水として摂取することができる携帯性、実用性に優れた水筒を提供することができる。
【発明を実施するための最良の形態】
【００２９】
（実施の形態１）
以下、本発明の実施の形態１におけるミネラル水生成具について、以下図面を参照しながら説明する。
図１は本発明の実施の形態１におけるミネラル水生成具を示す全体斜視図である。
図１中、１は本発明の実施の形態１におけるミネラル水生成具、２は永久磁石によって環状に形成された下部固定板、３は合成樹脂製やステンレス等の非磁性体の金属製のパイプで形成され下部固定板２の略中央に立設されたガイド軸、４は永久磁石により貫通孔（図示せず）を有する環状に形成されガイド軸３に摺動自在に挿通された摺動磁石板、５は天然鉱石又は天然鉱石を微粉砕し焼結したセラミックで貫通孔５ａを有する環状に形成されガイド軸３に摺動自在に挿通され摺動磁石板４の上下にそれぞれ３個ずつ隣接して配設されたミネラル板、６はミネラル板５の貫通孔５ａよりも大きな外形で環状に形成されガイド軸３の上端に配設された永久磁石製の上端固定部、７は下部固定板２、ガイド軸４、上端固定部６に連通して穿設された流水部である。
【００３０】
下部固定板２、摺動磁石板４、ミネラル板５、上端固定部６の外形はそれぞれミネラル水生成具１を収容するペットボトルや水筒等の各種容器の口よりも小さく形成される。
摺動磁石板４の貫通孔（図示せず）及びミネラル板５の貫通孔５ａの孔径は、ガイド軸３の外形よりも大きく、また下部固定板２及び上端固定部６の外形よりも小さく形成した。貫通孔の孔径をガイド軸３の外形よりも大きく形成することにより、ガイド軸３との隙間に容器内の水を通過させることができ、より効率的に摺動磁石板４やミネラル板５に接触させることができ、短時間でミネラル水を生成することができる。また、摺動磁石板４やミネラル板５が前後や左右にも移動できるので、接触回数や接触面積を増加させることができ、ミネラル水生成の効率性に優れる。貫通孔の孔径を下部固定板２及び上端固定部６の外形よりも小さく形成することにより、ミネラル水生成具１が収容された容器を上下に振って摺動磁石板４及びミネラル板５をガイド軸３に沿って摺動させた際に、摺動磁石板４及びミネラル板５がガイド軸３から抜け落ちるのを防止できる。
下部固定板２及び上端固定部６はガイド軸３に対し、嵌合、接着、ねじ止め、螺合等の固定手段により固定した。これにより、摺動時に摺動磁石板４やミネラル板５が下部固定板２及び上端固定部６にぶつかってもガイド軸３から外れず、信頼性に優れる。また、下部固定板４及び上端固定部６の少なくともいずれか一方は、ガイド軸３に対し着脱自在にした。これにより、容易に摺動磁石板４やミネラル板５の増減、交換、清掃を行うことができ、メンテナンス性、組立て作業性を向上させている。尚、下部固定板２及び上端固定部６は円形に限らず、多角形状や棒状でもよい。
【００３１】
下部固定板２、上端固定部６及び摺動磁石板４を形成する永久磁石としては、アルニコ磁石、フェライト磁石、希土類磁石、マグネット鋼，ＭＫ鋼，Ｃｏ−Ｐｔ系，コバルトフェライト，ＯＰ磁石などを用いた。
下部固定板２と摺動磁石板４及び上端固定部６と摺動磁石板４との間にそれぞれ斥力が働くようにＮ極同士又はＳ極同士を対向させて配置した。例えば、下部固定板２の上面がＮ極の場合、摺動磁石板４の下面をＮ極、上面をＳ極とし、上端固定部６の下面をＳ極とする。これにより、静止状態で摺動磁石板４と下部固定板２及び上端固定部６との距離を一定に保つことができ、容器を上下に振った際に摺動磁石板４と下部固定板２及び上端固定部６との間に挟まれたミネラル板５を確実に摺動させることができる。
また、下部固定板２、上端固定部６及び摺動磁石板４の磁力はそれぞれほぼ同等に形成した。これにより、下部固定板２及び上端固定部６と摺動磁石板４との間に働く斥力を釣り合わせることができ、摺動磁石板４を下部固定板２と上端固定部６の間の略中央位置で保持できる。
【００３２】
尚、本実施の形態では下部固定板２と上端固定部６を永久磁石で形成したが、代りに下部固定板２と上端固定部６を合成樹脂又は金属で形成し、下部固定板２の上面と上端固定部６の下面にそれぞれ摺動補助磁石を配設してもよい。また、１個の摺動磁石板４の上下にそれぞれ３個ずつのミネラル板５を配設したが、摺動磁石板４及びミネラル板５の数はこれによらず、何個でも構わない。特にガイド軸３の長さが長い場合、要所に摺動磁石板４を配設し、その間にミネラル板５を挟むことにより、ミネラル板５の摺動距離が極端に長くならず、短いストロークでミネラル板５を小刻みに確実に摺動させることができる。
【００３３】
ミネラル板５としては、３０００個／ｃｃ以上、好ましくは６０００個／ｃｃ以上のマイナスイオンを発生する水晶（石英）、ラドン鉱石、ラジウム鉱石、麦飯石、花崗岩等の自然鉱石やこれらの微粉末を焼結したセラミック等を用いた。ミネラル板５の発生するマイナスイオンが、６０００個／ｃｃよりも少なくなるにつれ、ｐＨが７．４〜１０の弱アルカリ性になるまでに時間を要し、生産性が低下する傾向があり、３０００個／ｃｃより少なくなるにつれ、ｐＨが変化し難くなり、十分なマイナスイオンの効果が得られず、実用性が低下することがわかったためである。
【００３４】
以上のように構成された実施の形態１におけるミネラル水生成具を備えた噴霧器について説明する。
図２は本発明の実施の形態１におけるミネラル水生成具を備えた噴霧器を示す全体斜視図である。
図２中、１０は実施の形態１におけるミネラル水生成具１を備えた噴霧器、１１はミネラル水生成具１が内部に収容された噴霧器１０の容器、１２はミネラル水生成具１の流水部７に挿通された噴霧器１０の吸上げ管、１３は吸上げ管１２の上端に連設されたポンプ部、１４はポンプ部１３を容器１１の上端開口部に着脱自在に固定するポンプ固定部、１５はポンプ固定部１４の上端に配設された押しボタン、１６は押しボタン１５の底部でポンプ部１３に連通し押しボタン１５の外側面に開口して形設された噴霧孔である。
【００３５】
容器１１の上端開口部（図示せず）の外周には雄ねじを形成し、ポンプ固定部１４に形成した雌ねじを螺着することにより、着脱自在に固定することができる。また、ポンプ固定部１４の内部にはパッキングを配設した。これにより、容器１１内部の水が外部に漏れず信頼性に優れる。
【００３６】
以上のように構成された実施の形態１におけるミネラル水生成具を備えた噴霧器の使用方法について説明する。
図２において、容器１１からポンプ固定部１４と共にポンプ固定部１４と一体に形成された吸上げ管１２、ポンプ部１３、押しボタン１５を取外す。容器１１の上端開口部から水道水や浄水機で塩素を取除いた水等を注ぐ。吸上げ管１２をミネラル水生成具１の流水部７に挿通するようにポンプ固定部１４を容器１１の上端開口部に取付ける。容器１１を上下に振ることにより、ミネラル板５が下部固定板２と摺動磁石板４との間、及び摺動磁石板４と上端固定部６との間を摺動する。このとき、隣接するミネラル板５同士が互いにぶつかることにより、ミネラル板５の表面が磨かれたり、微細な欠けや割れが発生したりするので、ミネラル板５の表面に新たな破壊原子価が現れ、マイナスイオンの発生やミネラルの溶出が促進され、短時間で効率的にミネラル水が生成される。また、摺動磁石板４や下部固定板２、上端固定部６の発する磁界の中を水が移動することにより水が磁化し、分子集団が小さくなり、肌や髪への浸透性が向上する。
このようにして生成されたミネラル水は、押しボタン１５を押下するだけで噴霧孔１６から容易に噴霧することができ、手軽に肌や髪へ噴きつけて使用することができる。
【００３７】
実施の形態１のミネラル水生成具は以上のように構成されているので以下の作用を有する。
（１）下部固定板２の略中央に立設されたガイド軸３に、環状に形成された摺動磁石板４及びミネラル板５が摺動自在に挿通され、ガイド軸３の上端に貫通孔５ａよりも大きな外形に形成された上端固定部６が配設されていることにより、既存のペットボトルや水筒等の容器の内部に収容し、容器内の水に浸漬させ、容器を上下に振るだけで、摺動磁石板４及びミネラル板５をガイド軸３に沿って摺動させることができるので、摺動磁石板４の磁気によって容器内の水のクラスタと呼ばれる分子集団を小さくし、水を磁化させることができ、また、ミネラル板５のマイナスイオン及び各種ミネラルの溶出によって容器内の水を弱アルカリ性にすることができ、手軽にミネラル水を生成することができる。
（２）ガイド軸３の上端に貫通孔５ａよりも大きな外形に形成された上端固定部６が配設されているので、容器を上下に振って摺動磁石板４及びミネラル板５をガイド軸３に沿って摺動させても、摺動磁石板４及びミネラル板５がガイド軸３から抜け落ちることがなく、摺動磁石板４やミネラル板５を確実に保持することができる。
（３）摺動磁石板４及びミネラル板５がガイド軸３に摺動自在に挿通され一体に保持されているので、取扱いが容易で、容器への収容、取出しを簡便に行うことができる。
（４）下部固定板２及び上端固定部６の少なくともいずれか一方をガイド軸３に対し着脱自在にすることにより、容易に摺動磁石板４やミネラル板５の増減、交換、清掃を行うことができ、メンテナンス性、汎用性に優れる。
（５）摺動磁石板４及びミネラル板５の貫通孔の孔径をガイド軸３の外形よりも大き目に形成することにより、ガイド軸３と貫通孔との隙間に容器内の水を通過させることができ、より効率的に摺動磁石板４やミネラル板５に接触させることができ、短時間でミネラル水を生成することができる。
（６）ガイド軸３に挿通された摺動磁石板４やミネラル板５が前後や左右にも移動できるので、接触回数や接触面積を増加させることができ、ミネラル水を生成する効率性に優れる。
（７）ミネラル水の水の分子集団が小さく、均一な状態になっていることにより、肌や髪への浸透性が高く、保湿効果に優れるので、アトピー性皮膚炎やニキビ、しみ、そばかす、あせも等の皮膚病、乾燥肌の改善に好適に用いることができる。
（８）ミネラル水のエマルジョン効果により、肌の汚れや汗、油を取除くことができ、肌荒れを防ぐことができる。
（９）ミネラル水に含まれるナトリウム、カリウム、カルシウム、マグネシウム等のミネラルの働きにより新陳代謝を促進し、肌を保護することができる。
（１０）隣接して配設されたミネラル板５同士が、摺動時に互いに衝突することにより、ミネラル板５の表面が磨かれ、或いは微細な欠けや割れが発生し、新たな破壊原子価が現れるので、マイナスイオンの発生、ミネラルの溶出が促進され、短時間で効率的にミネラル水を生成することができる。
（１１）下部固定板２及び上端固定部６が永久磁石で形成されているので、下部固定板２と上端固定部６をＮ極とＳ極が対向するように配置することにより、下部固定板２と上端固定部６の間に磁界を発生させることができ、その間を通過する水を磁化させることができる。
（１２）摺動磁石板４と下部固定板２及び摺動磁石板４と上端固定部６との間にそれぞれ斥力が働くようにＮ極同士又はＳ極同士を対向させて配置することにより、静止状態で摺動磁石板４と下部固定板２及び上端固定部６との距離を一定に保つことができ、容器を上下に振った際に摺動磁石板４と下部固定板２及び上端固定部６との間に挟まれたミネラル板５を確実に摺動させることができ、効率的にミネラル水を生成することができる。
（１３）容器が着磁性を有する場合、永久磁石で形成された下部固定板２を容器内部の底面に着磁して保持することができ、特別な固定手段を用いることなくミネラル水生成具１を固定でき、動作を安定させることができる。
（１４）下部固定板２、上端固定部６、摺動磁石板４の磁力をそれぞれほぼ同等に形成することにより、摺動磁石板４と下部固定板２及び上端固定部６との間に働く斥力を釣り合わせることができ、摺動磁石板４を下部固定板２と上端固定部６の間の略中央位置で保持することができるので、ミネラル板５の摺動安定性に優れる。
（１５）下部固定板２、ガイド軸３、上端固定部６に連通して流水部７が穿設されているので、流水部７の内部に容器内の水を通過させることにより摺動磁石板４の磁気を作用させ、より効率的にミネラル水を生成することができる。
（１６）ミネラル水生成具１を収容する容器の底面に、流水部７に嵌合される棒状部材を立設することにより、簡便にミネラル水生成具１を保持することができ、容器を上下に振った際に、確実に摺動磁石板４やミネラル板５を摺動させることができる。
（１７）ガイド軸３を非磁性体で形成することにより、摺動磁石板４や下部固定板２、上端固定部６により発生する磁界がガイド軸３の影響を受けることがなく、確実に流水部７の内部を通過する水に作用して効率的に磁化させることができる。
（１８）ミネラル板５が、３０００個／ｃｃ以上、好ましくは６０００個／ｃｃ以上のマイナスイオンを発生する天然鉱石又は天然鉱石を微粉砕し焼結したセラミックであるので、容器内の水に浸漬することにより、短時間で弱アルカリ性のミネラル水を生成することができる。
（１９）ミネラル板５が、天然鉱石を微粉砕し焼結したセラミックである場合、容易に環状に形成することができ、生産性に優れる。
【００３８】
実施の形態１のミネラル水生成具を備えた噴霧器は以上のように構成されているので以下の作用を有する。
（２０）ミネラル水生成具１の流水部７に挿通された吸上げ管１２と、吸上げ管１２の上端に連設されたポンプ部１３と、ポンプ部１３を容器１１の上端開口部に着脱自在に固定するポンプ固定部１４と、ポンプ固定部１４の上端に配設された押しボタン１５と、押しボタン１５の底部でポンプ部１３に連通し押しボタン１５の外側面に開口して形設された噴霧孔１６を有するので、押しボタン１５を押下するだけでミネラル水生成具１により生成されたミネラル水をポンプ部１３により吸上げることができ、噴霧孔１６から噴霧させ肌等に噴き付けることができ、美容液、化粧水、洗浄水等として簡便に使用することができる。
（２１）ミネラル水生成具１の流水部７に吸上げ管１２が挿通されているので、吸上げ管１２によりミネラル水生成具１を保持することができ、ミネラル水生成具１が容器１１の内部で倒れるのを防止できる。
（２２）ポンプ部１３がポンプ固定部１４により容器１１の上端開口部に着脱自在に固定されているので、容易に容器１１に水を注ぎ足すことができ、ミネラル水生成具１を繰返し使用することができるので、摺動磁石板４やミネラル板５を使い捨てすることがなく、省資源性に優れる。
【００３９】
（実施の形態２）
以下、本発明の実施の形態２におけるミネラル水生成具について、以下図面を参照しながら説明する。
図３は本発明の実施の形態２におけるミネラル水生成具を示す全体斜視図である。
図３において、実施の形態２におけるミネラル水生成具１ａが実施の形態１と異なるのは、下部固定板２の下部及び上端固定部６の上部にそれぞれ中実棒状のガイド軸３’の中心から放射状に略十文字形状に配設されたガイド軸固定部１７、１８がビスやピン等の固定部材１９で着脱自在に固定された点である。
ガイド軸固定部１７、１８は、軟質で可撓性を有するポリプロピレン等の合成樹脂製やアルミニウム製の薄板で形成した。これにより、ミネラル水生成具１ａを容器の内部に収容する際に、ガイド軸固定部１７、１８をそれぞれガイド軸３’側に折り曲げるようにして挿入すると、挿入後にガイド軸固定部１７、１８が初期状態に復帰しようとして拡開し、容器の底面や側面に張り付くようにしてミネラル水生成具１ａが固定される。尚、ガイド軸固定部１７、１８を有する場合、下部固定板２及び上端固定部６はなくてもよい。
【００４０】
以上のように構成された実施の形態２におけるミネラル水生成具を備えた水筒について説明する。
図４は本発明の実施の形態２におけるミネラル水生成具を備えた水筒を示す全体斜視図である。
図４中、２０は実施の形態２におけるミネラル水生成具１ａを備えた水筒、２１はミネラル水生成具１ａが内部に収容されたペットボトル製の水筒２０の容器、２１ａは容器２１の底面、２１ｂは容器２１の側面、２２は容器２１の上端開口部に着脱自在に配設された水筒２０のキャップである。
【００４１】
ミネラル水生成具１ａのガイド軸３の長さは容器２１の大きさに応じて適宜、選択することができる。
尚、本実施の形態では水筒２０の容器２１に市販の飲料水が入っていたペットボトルを利用したが、ステンレス製などの金属や合成樹脂等で形成された市販の水筒を用いることができる。
容器２１の容積は、２５０ｍｌ〜５００ｍｌの大きさのものが片手で把持して容易に振ることができ、軽量で携帯性に優れるので好ましい。１０００ｍｌや１５００ｍｌ等の大型のものは、冷蔵庫等で保存して家庭等で利用することができる。
【００４２】
以上のように構成された実施の形態２におけるミネラル水生成具を備えた水筒の使用方法について説明する。
図４において、容器２１からキャップ２２を取外し、上端開口部から水道水や浄水機で塩素を取除いた水等を注ぐ。キャップ２２を容器２１の上端開口部に取付け、容器２１を上下に振る。このとき、下部固定板２及び上端固定部６に配設されたガイド軸固定部１７、１８がそれぞれ容器２１の底面２１ａ及び側面２１ｂに張り付くように固定されるので、ミネラル板５を下部固定板２と摺動磁石板４との間、及び摺動磁石板４と上端固定部６との間で摺動させることができる。
ミネラル水が生成される過程は実施の形態１と同様なので説明を省略する。
本実施の形態では２枚の長尺状のガイド軸固定部１７、１８を略十文字形状に配設したが、1枚の薄板を略十文字形状等に切り抜いて一体に形成してもよい。また、容器２１の横断面形状が略円形なので同じ長さのガイド軸固定部１７、１８を交差させるようにして用いたが、容器２１の横断面形状が長方形状等の場合には、断面形状に合わせていずれか一方を長く形成し、固定することができる。固定部材１９が着脱自在なため、容器２１の横断面形状やその大きさに応じて容易にガイド軸固定部１７、１８を交換することができ、1つのミネラル水生成具１ａを複数種類の容器２１で兼用できる。
尚、ガイド軸固定部１７、１８がない場合でも、容器２１を上下に振ることにより、ミネラル水生成具１ａ全体が容器２１内で揺動し、底面２１ａや上端開口部に配設されたキャップ２２等にぶつかることにより、その反動でミネラル板５を下部固定板２と摺動磁石板４との間、及び摺動磁石板４と上端固定部６との間で摺動させることができる。
このようにして生成されたミネラル水は、容器２１の上端開口部に直接、口をつけたり、コップに移したりして飲むことができる。また、沸騰させてお茶やコーヒー等を入れる際に使用したり、料理に使用したりして摂取することができる。適量を摂取することにより、各種ミネラルを補給できると共に、整腸作用があり、便秘の改善効果に優れる。
【００４３】
実施の形態２のミネラル水生成具は以上のように構成されているので、実施の形態１の作用に加え、以下の作用を有する。
（１）下部固定板２の下部及び上端固定部６の上部にそれぞれガイド軸固定部１７、１８が配設されていることにより、容器２１の内部でミネラル水生成具１ａを固定することができ、容器２１を上下に振った際にミネラル水生成具１ａが倒れることがなく確実に摺動磁石板４やミネラル板５を摺動させることができると共に、容器２１から水を注ぐ際にミネラル水生成具１ａが移動して容器２１の口を塞ぐことがなく、取扱い性に優れる。
（２）ガイド軸固定部１７、１８の長さや幅を変更することにより、容器２１の断面形状や大きさによらず確実にガイド軸固定部１７、１８を容器２１の底面２１ａや側面２１ｂに接触させ固定することができるので、1つのミネラル水生成具１ａを様々な容器で使用することができ汎用性に優れる。
（３）ガイド軸固定部１７、１８が固定部材１９によりガイド軸３’に着脱自在に固定されているので、容易にガイド軸固定部１７、１８のみを交換することができ、メンテナンス性に優れる。
【００４４】
実施の形態２のミネラル水生成具を備えた水筒は以上のように構成されているので以下の作用を有する。
（４）容器２１の内部にミネラル水生成具１ａが収容されているので、手軽に持ち歩くことができ、いつでもどこでもミネラル水を飲料水として摂取することができる。
（５）容器２１の容積を２５０ｍｌ〜５００ｍｌの大きさにすることにより、片手で把持して容易に振ることができ、軽量で携帯性に優れ、また１０００ｍｌや１５００ｍｌ等の大型のものを冷蔵庫等で保存して家庭等で利用することができる。
（６）キャップ２２を取外して容易に容器２１に水を注ぎ足すことができ、ミネラル水生成具１ａを繰返し使用することができるので、摺動磁石板４やミネラル板５を使い捨てすることがなく、省資源性に優れる。
【産業上の利用可能性】
【００４５】
本発明は、簡単な構成で部品点数が少なく、小型軽量で生産性、低コスト性に優れ、既存のペットボトルや水筒等の容器に容易に着脱して手軽に使用することができる汎用性、メンテナンス性に優れたミネラル水生成具を提供することができ、容器に水を継ぎ足すだけでミネラル水を生成することができ、ミネラル水生成具を使い捨てすることなく有効利用でき、省資源性に優れ、ミネラル水を噴霧して化粧水や肌の洗浄水等として簡便に使用することができる携帯性に優れた噴霧器やいつでもどこでもミネラル水を飲料水として摂取することができる携帯性に優れた水筒に利用することができる。
【図面の簡単な説明】
【００４６】
【図１】本発明の実施の形態１におけるミネラル水生成具を示す全体斜視図
【図２】本発明の実施の形態１におけるミネラル水生成具を備えた噴霧器を示す全体斜視図
【図３】本発明の実施の形態２におけるミネラル水生成具を示す全体斜視図
【図４】本発明の実施の形態２におけるミネラル水生成具を備えた水筒を示す全体斜視図
【符号の説明】
【００４７】
１    本発明の実施の形態１におけるミネラル水生成具
１ａ  本発明の実施の形態２におけるミネラル水生成具
２    下部固定板
３、３’    ガイド軸
４    摺動磁石板
５    ミネラル板
５ａ    貫通孔
６    上端固定部
７    流水部
１０    実施の形態１におけるミネラル水生成具を備えた噴霧器
１１    容器
１２    吸上げ管
１３    ポンプ部
１４    ポンプ固定部
１５    押しボタン
１６    噴霧孔
１７、１８    ガイド軸固定部
１９    固定部材
２０    実施の形態２におけるミネラル水生成具を備えた水筒
２１    容器
２１ａ    底面
２１ｂ    側面
２２    キャップ
【図１】
2006026465.tif 000003
【図２】
2006026465.tif 000004
【図３】
2006026465.tif 000005
【図４】
2006026465.tif 000006